【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
アイテムのセグメントの体積に対応する数値を表示する装置であって、
上記アイテムを支持するための支持面と、
センサ・バーと、
上記アイテム上方に間隔を隔てて配置された上記センサ・バーを、上記センサ・バーが上記アイテム上方を通過し且つ上記アイテムに沿った他のいずれかの位置から上記アイテムのいずれかの選択部分上方に位置するように位置決めするための支持体と、
上記いずれかの選択部分上方に位置すべく上記他のいずれかの位置から移動しながら、上記センサ・バーの作動に対応する信号を生成する作動検出器加速度計配置構造と、
上記センサ・バーが上記アイテムの上記いずれかの選択部分上方に位置されるべく移動されると、上記センサ・バーが通過した上記アイテムの連続部分の横断面輪郭に対応する信号を生成するセンサ配置構造と、
上記センサ・バーが上記アイテム上方を上記他の位置から上記アイテムの上記選択部分上方の位置に移動する場合に、上記作動検出器配置構造及び上記センサ配置構造によって生成された上記信号に応答し、その信号から上記センサ・バーの移動によって規定される上記アイテムのある選択セグメントの体積を計算する信号処理装置と、
上記センサ・バーが上記アイテムの上記いずれかの選択部分上方に位置した状態で、上記信号処理装置が計算した通りに上記アイテムの上記選択セグメントの上記体積に対応する数値を表示する表示装置とを備える装置。
【請求項２】
上記作動検出器配置構造は、それとともに作動するための上記センサ・バーに装着された微小構造電子機器加速度計を含む請求項１に記載の装置。
【請求項３】
上記センサ・バーは、その各端部で上記センサ・バーから下方に延出する一対の支柱を含み、上記各支柱は、上記支持面と接触しそれにより上記支持面上の所定高さに上記センサ・バーの上記支持体を提供し且つ上記センサ・バーに上記支持面上の上記アイテム上を往復動作させるための下端を有し、上記支柱のそれぞれは、各支柱の作動に対応する信号を生成し、上記支柱に装着され関連する個々の微小構造電子機器加速度計を有する請求項２に記載の装置。
【請求項４】
上記信号は、上記支柱のそれぞれの上記下端の上記作動の変位範囲及び方向に対応する請求項３に記載の装置。
【請求項５】
上記センサ・バーの支持体は、上記支持面上のいずれかの方向への上記センサ・バーの自由且つ自発的な手動移動を許容すると共に、上記センサ・バーを上記支持面から持ち上げることを許容し、上記加速度計配置構造は、そのセンサ・バーの持ち上げ作動を検出すべく上記センサ・バーの鉛直作動を検出する請求項１に記載の装置。
【請求項６】
各加速度計配置構造は、各支柱の作動の方向及び変位範囲に対応する信号を生成する請求項３に記載の装置。
【請求項７】
上記センサ配置構造は、上記センサ・バーに沿って配置され、離間し鉛直方向に延出可能な一連のプランジャを備え、それぞれのプランジャが、それぞれ下方へバイアスされて上記支持面方向へ付勢され、その先端部が上記アイテムの上面又は上記プランジャの下方に位置する支持面と接触し、
伸長又は縮退されながら一緒になったプランジャの作動に対応する信号を生成する各プランジャ用の作動検出器プランジャ加速度計をさらに含み、上記信号処理装置は、上記プランジャ加速度計のそれぞれから上記信号を受信し、この信号から個々のプランジャの下のアイテム部分上に位置する上記アイテムの上面上のある点での上記支持面上方の高さを決定し、それにより上記一連のプランジャに沿った方向に延出する上記アイテムの各連続部分の横断面輪郭、及び、個々のプランジャが上記センサ・バーに完全に縮退されたか否か、又は、上記アイテム又は上記支持面上にあるか否かを決定する請求項１に記載の装置。
【請求項８】
上記加速度計配置構造は、各支柱の上記下端の実質的に上方の上記センサ柱に装着され、上記支柱の傾きによりもたらされる上記センサ・バーの作動を検出し、それに対応する傾き信号を生成し、
上記センサ・バー及び上記支柱が所定角度である鉛直でない傾きとなっていることを示す上記傾き信号に応答する警報器をさらに含む請求項３に記載の装置。
【請求項９】
上記センサ・バーによって搬送され、上記センサ・バーの各位置において上記センサ配置構造によって横断面輪郭が検知されている上記アイテムの部分において、上記アイテムを横断する薄い光帯を投影する配置構造をさらに含む請求項１に記載の装置。
【請求項１０】
アイテムのいずれかの選択セグメントの体積に対応する数値を表示する方法であって、  支持面上に上記アイテムを置くことと、
センサ・バーを上記アイテムをクリアするのに十分な事前に設定された上記支持面上の高さに支持することと、
上記センサ・バーを上記支持面上方を移動させて、上記センサ・バーが上記アイテムのいずれかの部分上方の基準位置から上記アイテムに沿って通過し上記アイテムの選択された他の部分上方の位置に到達させ、それにより上記基準位置部分と上記選択された他の部分との間の上記アイテムの部分を選択セグメントと規定することと、
上記センサ・バーが上記選択された部分に移動された場合に、上記センサ・バーの下を通過する上記アイテムの連続部分の横断面輪郭に対応するセンサ信号を生成することと、  上記センサ・バーの加速度を検出することで、上記センサ・バーが上記アイテム上方をそれに沿って通過する際にそのセンサ・バーの作動を検出し、対応する検出器信号を生成することと、
上記生成されたセンサ及び検出器信号を処理し、それから上記アイテムの上記選択セグメントの体積を計算することと、
上記選択セグメントの計算された体積に対応する数値を得ることと、
上記センサ・バーが上記アイテムのいずれかの選択された他の部分上方の位置に到達した後に、このようにして得られた数値を表示することとを含む方法。
【請求項１１】
上記アイテムの連続部分の横断面輪郭に対応するセンサ信号を生成することが、上記センサ・バーが上記アイテム上方を通過する際に、上記センサ・バーにより搬送される一連の鉛直移動可能なプランジャのそれぞれの下端に上記アイテムの上面を同時に係合させることと、上記プランジャの加速度を検出することによって、上記センサ・バーの相対移動中に上記プランジャのそれぞれの鉛直作動に対応する信号を生成することとを含む請求項１０に記載の方法。
【請求項１２】
上記センサ・バーを支持することが、上記センサ・バーを上記支持面から自由に持ち上げ取り去ることを許容し、上記センサ・バーの作動を検出することが、上記センサ・バーの鉛直作動を検出し、それにより上記支持面からの上記センサ・バーの持ち上げを検出することを含む請求項１０に記載の方法。
【請求項１３】
上記センサ・バーに沿って延出する一連の光源から上記アイテムを横断する光帯を投影し、それによりセンサ・バーの位置で生成されたセンサ信号に対応する、上記センサ・バー下方に位置する上記アイテムの部分を指示することを含み、上記光帯及び数値表示の両方が観察者に可視である請求項１０に記載の方法。
【請求項１４】
アイテムのいずれかの選択セグメントの体積に対応する数値表示を生成する方法であって、
支持面上に上記アイテムを置くこと、
センサ・バーを上記支持面に対して相対移動させて、上記センサ・バーを上記アイテムに沿ったいずれかの方向へ上記アイテムに沿って移動させることと、
上記センサ・バーがそこに相対移動された場合に、上記センサ・バーを通過する上記アイテムの連続部分の横断面輪郭に対応するセンサ信号を生成することと、
上記センサ・バーが上記アイテムのある部分上方の初期基準位置から上記アイテム上方をそれに沿って通過する際に上記センサ・バーの加速度を検出し、対応する作動検出器信号を生成することと、
上記生成されたセンサ及び検出器信号を処理し、それによって上記センサ・バーの上記基準位置に対応する上記ある部分から上記アイテムに沿った上記センサ・バーのいずれかの選択された他の部分に対応する選択された他の部分へ延出する部分として規定される、上記アイテムの選択セグメントの体積を得ることと、
上記センサ及び作動検出器信号から得た上記選択セグメントの上記体積に対応する数値を表示することとを含む方法。
【請求項１５】
アイテムのいずれかの選択セグメントの重量又は価格を上記アイテムを観察している購入者に表示する方法であって、
センサ配置構造が上記アイテムの選択された他の部分に近接する部分に到達する際に通過する上記アイテムの各連続部分の横断面輪郭に対応するセンサ信号を生成している間に、上記センサ配置構造を上記アイテムの第一部分に近接する基準位置から上記アイテムに沿って通過させることと、
上記センサ配置構造が上記基準位置から選択された他の部分へ上記アイテムに沿って移動する際にその加速度を検出し、対応する作動検出器信号を生成することと、
上記第一部分から上記選択された他の部分へと延出する上記アイテムの部分によって規定される上記アイテムの上記選択セグメントの総体積を上記センサ信号及び上記作動検出器信号より計算し、上記センサ配置構造が上記アイテムの上記選択された他の部分に近接して位置するときの上記計算された体積に対応する数値を表示し、上記購入者が同様の数値を見ることができるようにすることと、
上記センサ配置構造が上記アイテムの上記選択された部分に近接して位置した状態で、上記信号処理装置が計算した通りにアイテムのいずれかの選択セグメントの上記体積に対応する数値を表示することとを含む方法。
【請求項１６】
アイテムのいずれかの選択セグメントの体積に対応する数値を表示するための装置であって、
上記アイテムを支持するための支持面と、
センサ配置構造と、
上記アイテムに沿って横断する前後いずれかの方向への上記支持面上の相対的な移動を自由に行わせ、それにより上記センサ配置構造を上記アイテムのいずれかの選択部分に整列するように手動により選択的に配置するための上記センサ配置構造のための支持体と、  上記センサ配置構造支持体が上記アイテムの選択された開始部分に整列する位置から上記アイテムのいずれかの他の部分に整列する位置へ移動される場合に、上記センサ配置構造支持体の加速度に対応する信号を生成する作動検出器配置構造と、
上記センサ配置構造が通過し、上記選択された他の部分に整列するように移動されると上記アイテムの連続部分の横断面輪郭に対応する信号を生成する上記センサ配置構造と、  上記作動検出器配置構造及び上記センサ配置構造によって生成された上記信号を受け取り、上記アイテムの上記選択された開始部分と上記アイテムの上記選択された他の部分との間に規定される上記アイテムの選択セグメントの体積をそれらの信号から計算する信号処理装置と、
上記センサ配置構造支持体が上記アイテムの上記選択された他の部分に整列して位置した状態で、上記信号処理装置が計算した通りにアイテムの選択セグメントの上記体積に対応する数値を表示することを可能にする表示装置とを含む装置。
【請求項１７】
販売されるアイテムのいずれかの選択セグメントの価格に対応する数値を表示する装置であって、
上記アイテムを支持するための支持面と、
センサ配置構造と、
上記センサ配置構造を装着するためのセンサ配置構造支持体であって、上記アイテムに沿った反対方向への上記支持面を横断する移動を自由に行わせ、それにより上記センサ配置構造を上記アイテムに沿ったいずれかの他の位置から上記アイテムのいずれかの部分に近接して選択的に位置するようにするためのセンサ配置構造支持体と、
上記センサ配置構造が上記アイテムのある部分に近接する基準位置から上記アイテムのいずれかの他の部分に近接する位置へ移動される場合に、上記センサ配置構造の加速度に対応する信号を生成する作動検出器配置構造と、
上記センサ配置構造が通過し、上記基準位置から移動されると上記アイテムの連続部分の横断面輪郭に対応する信号を生成する上記センサ配置構造と、
上記作動検出器配置構造及び上記センサ配置構造によって生成された上記信号を受け取り、上記アイテムのある部分と上記アイテムの各他の部分との間に規定される上記アイテムの各セグメントの体積をそれらの信号から計算する信号処理装置と、
上記センサ配置構造が上記アイテムに沿って移動するときに、上記信号処理装置が計算した通りに上記アイテムの各セグメントの価格に対応する数値を実質的に同時に表示する表示装置とを含む装置。
【請求項１８】
上記作動検出器配置構造は、微小構造電子機器加速度計を含む請求項１７に記載の装置。
【請求項１９】
上記作動検出器配置構造は、上記支持面の平面内のいずれかの方向における、上記センサ支持体配置構造の作動を検出する少なくとも一つの加速度計の群を含む請求項１７に記載の装置。
【請求項２０】
上記作動検出器配置構造は、上記支持面に平行な平面内の作動と同様に、上記センサ配置構造支持体の鉛直作動を検出する少なくとも一つの複数軸の加速度計の群を含む請求項１７に記載の装置。
【請求項２１】
アイテムの選択セグメントの体積に対応する数値を表示する方法であって、
支持面上に上記アイテムを置く工程と、
上記支持面上方にセンサ配置構造を支持し上記アイテムをクリアさせる工程と、
上記センサ配置構造を上記アイテムに沿ったいずれかの方向へ上記支持面に対して相対的に手動で移動させて、上記センサ配置構造を上記アイテムの基準位置上方の位置からの変位によって、上記アイテムのいずれかの選択された他の部分上方に位置させる工程と、  上記センサ配置構造が上記アイテム上を通過する際に、上記センサ配置構造の下方を通過する上記アイテムの連続部分の横断面輪郭に対応する信号を生成する工程と、
上記センサ配置構造が上記アイテムの上記基準位置上方の上記位置から連続する選択位置へ移動する際に、そのセンサ配置構造の加速度を検出し、対応する検出器信号を生成する工程と、
上記生成されたセンサ配置構造及び作動検出器信号を処理し、上記センサ配置構造が上記選択された他の部分上方の上記位置へ移動するときに、上記センサ配置構造が通過した上記基準位置と連続部分との間に規定される上記アイテムの各セグメントの体積をこれらの信号から計算する工程と、
各連続セグメントの計算された体積に対応する数値を得る工程と、
各連続部分に到達した際に、このようにして得られた上記数値を表示する工程とを含む方法。
【請求項２２】
支持面上にあるアイテムの選択セグメントの体積に対応する数値を表示する方法であって、
上記アイテムに対し選択された基準位置から上記アイテムに沿って指示器を移動させ、上記アイテムに沿って移動する上記指示器の加速度を検出すると共に、通過した上記アイテムの連続部分の横断面輪郭を検知することと、
上記指示器が上記アイテムに対する選択された他の位置に到達する際に、上記検出した加速度及び検知した横断面輪郭から上記指示器が横断する上記アイテムの選択セグメントの体積を計算することと、
上記指示器が上記選択された他の位置に到達した後に、上記選択セグメントの上記計算した体積に対応する数値を表示することとを含む方法。
【請求項２３】
上記数値が上記選択セグメントの重量を含む請求項２２に記載の方法。
【請求項２４】
上記数値が上記選択セグメントの重量に基づく価格を含む請求項２２に記載の方法。
【請求項２５】
上記数値が上記指示器が上記他の位置に到達する際に実質的に同時に表示されることを含む請求項２２に記載の方法。
【請求項２６】
上記数値が上記指示器に近接して表示されることを含む請求項２２に記載の方法。
【請求項２７】
移動可能な細長いバーが、上記アイテム上方に位置され、上記指示器として使用される請求項２２に記載の方法。
【請求項２８】
上記選択セグメントを上記アイテムから切断することをさらに含む請求項２２に記載の方法。
【請求項２９】
上記細長いバーから上記アイテムの部分上に光帯を投影させ、それにより上記細長いバーの位置に対する上記アイテムの部分の関係を示すことをさらに含む請求項２７に記載の方法。
【請求項３０】
上記光帯が上記細長いバーの下側から投影される請求項２９に記載の方法。
【請求項３１】
上記基準位置から上記指示器が離れる前に、上記指示器の上記選択された基準位置において、上記アイテムを横断させて個々の要素を置くことをさらに含む請求項２２に記載の方法。
【請求項３２】
上記細長いバーが単一軸に沿って移動され、上記細長いバーの前後方向の作動を許容することと、それに沿った上記加速度を単一軸の加速度計によって検出することとを含む請求項２７に記載の方法。
【請求項３３】
支持面上にあるアイテムのいずれかの選択セグメントの体積に対応する数値を表示する方法であって、
上記アイテムに対し選択された基準位置から上記アイテムに沿って指示器を移動させると共に、上記アイテムに沿った上記指示器の相対位置における上記アイテムの視覚的表示を提供することと、
上記指示器の上記基準位置からの変位範囲を検出することと、
上記アイテムに沿って移動された上記指示器が上方を通過した上記アイテムの輪郭を検知することと、
上記検出した変位及び検知したアイテムのセグメントの輪郭から上記基準位置と上記アイテムに対する選択された他の位置との間の上記アイテムの選択セグメントの体積を計算することと、
上記指示器が上記選択された他の位置にある後に、上記選択セグメントの上記計算した体積に対応する数値を表示することとを含む方法。
【請求項３４】
上記指示器から上記アイテム上に可視光を投影させ、それにより上記アイテムに沿った上記指示器の位置における上記アイテムの上記視覚的表示を提供することをさらに含む請求項３３に記載の方法。